(57)【要約】【課題】バッフル機能の向上および構造の簡素化を図り得る照明器具を提供する。【解決手段】本発明は、セード１と、セード１内に取り付けられた光源５５と、セード１の前端開口に水密状態に着脱自在に取り付けられた前面カバー７とを備え、光源５５から出射した照明光がセード１内の光路および前面カバー７の透光部を通って前方に照射されるようにした照明器具を対象とする。セード１に対しその前端開口を介して出入可能な内筒部材６光路の外周を覆うようにしてセード１内に取り付けられる。内筒部材６は、バッフル機能部６１と、弾力性を有するオプション取付部６３とを一体的に有し、バッフル機能部６１の内周面にバッフル６２が設けられるとともに、オプション取付部６３の内周面に内周溝６４が設けられる。光学系のオプションがその外周縁部が内周溝６４内に弾性嵌合されて内筒部材６に取付可能に構成されている。【選択図】図３
2018166026.tif 000002
【特許請求の範囲】
【請求項１】
前端に開口を有するセードと、前記セード内に取り付けられた光源と、前記セードの前端開口に水密状態に着脱自在に取り付けられ、かつ透光部を有する前面カバーとを備え、前記光源から出射した照明光が前記セード内の光路および前記透光部を通って前方に照射されるようにした照明器具であって、
前記セードに対しその前端開口を介して出入可能な内筒部材が前記光路の外周を覆うようにして前記セード内に着脱自在に取り付けられ、
前記内筒部材は、その前側部に設けられたバッフル機能部と、前記バッフル機能部の後方に設けられ、かつ弾力性を有するオプション取付部とを一体的に有し、
前記内筒部材における前記バッフル機能部の内周面にブレア低減用のバッフルが設けられるとともに、前記オプション取付部の内周面に周方向に沿って内周溝が設けられ、
光学系のオプションがその外周縁部が前記内周溝内に弾性嵌合されて前記内筒部材に取付可能に構成されていることを特徴とする照明器具。
【請求項２】
前記オプション取付部において前記内周溝が前後方向に間隔をおいて複数設けられるとともに、前記複数の内周溝にオプションがそれぞれ取付可能に構成されている請求項１に記載の照明器具。
【請求項３】
前記内筒部材の前端外周縁部にフランジ状のパッキンが外側に突出するようにして一体的に設けられ、
前記パッキンが前記セードの前端開口縁部と前記前面カバーの外周縁部とで挟持されて、前記セードおよび前記前面カバー間の水密が図られるように構成されている請求項１または２に記載の照明器具。
【請求項４】
前記オプションは、レンズによって構成されている請求項１〜３のいずれか１項に記載の照明器具。
【発明の詳細な説明】
【技術分野】
【０００１】
この発明は、防水性を有し屋外に設置することができるスポットライト等の照明器具に関する。
【背景技術】
【０００２】
従来、ブレア低減用にバッフルが設けられたスポットライト等の照明器具において、所望の配光効果（配光特性）を得るために、スプレッドレンズ、ディフュージョンレンズ等のレンズ、カラーフィルター等のオプションを組み込むことができるようにした技術が提案されている。特に屋外で使用されるスポットライトにおいては、防水性や高い強度を確保しつつ、レンズ等のオプションを確実に着脱できる構造を採用する必要があるため、様々な工夫が施されている。
【０００３】
例えば下記特許文献１に示すスポットライトは、円筒状のセードの前端開口に円環状のフードが取り付けられるとともに、そのフード内に、ゴム製の環状枠部材が嵌め込まれている。さらにその環状枠部材の内周面には、ブレア低減用のバッフルと、周方向に沿って配置される内周溝とが形成されている。そしてオプションとしての円形のフィルターの外周縁部が上記内周溝に嵌め込まれることによって、フィルターが環状枠部材に取り付けられるように構成されている。
【０００４】
また特許文献２に示すスポットライトは、円筒状のセードの内部における光源ユニットの前方に反射板が取り付けられるとともに、その反射板の前方にバッフル機能を有するバッフル部材が取り付けられている。そしてオプションとしてのレンズがその外周縁部が反射板およびバッフル部材間に挟み込まれることによってセード内に取り付けられている。
【先行技術文献】
【特許文献】
【０００５】
【特許文献１】特開２０１５−１３０２３２号
【特許文献２】特開２０１７−２７８９９号
【発明の概要】
【発明が解決しようとする課題】
【０００６】
しかしながら上記特許文献１に示す照明器具は、フード内の環状枠部材の内周面にバッフルおよびフィルター取付用内周溝を設けるものであるため、バッフルとして機能する領域（バッフル機能部）における光軸方向の寸法が短くなり、ブレアを確実に抑制できるような十分なバッフル機能を得ることが困難であるという課題があった。
【０００７】
また特許文献２に示すスポットライトは、バッフル部材および反射板間にレンズ等の光学部材を取り付けるようにしているため、バッフル部材および反射板間にレンズ取付用の特別な構造を別途形成する必要がありその分、構造の複雑化を来すという課題があった。
【０００８】
この発明は、上記の課題に鑑みてなされたものであり、レンズ等のオプションを簡単かつ確実に着脱できる上さらに、十分なバッフル機能を得ることができるとともに、構造の簡素化を図ることができる屋外用の防水性スポットライト等の照明器具を提供することを目的とする。
【課題を解決するための手段】
【０００９】
上記課題を解決するため、本発明は、以下の手段を備えるものである。
【００１０】
［１］前端に開口を有するセードと、前記セード内に取り付けられた光源と、前記セードの前端開口に水密状態に着脱自在に取り付けられ、かつ透光部を有する前面カバーとを備え、前記光源から出射した照明光が前記セード内の光路および前記透光部を通って前方に照射されるようにした照明器具であって、
前記セードに対しその前端開口を介して出入可能な内筒部材が前記光路の外周を覆うようにして前記セード内に着脱自在に取り付けられ、
前記内筒部材は、その前側部に設けられたバッフル機能部と、前記バッフル機能部の後方に設けられ、かつ弾力性を有するオプション取付部とを一体的に有し、
前記内筒部材における前記バッフル機能部の内周面にブレア低減用のバッフルが設けられるとともに、前記オプション取付部の内周面に周方向に沿って内周溝が設けられ、
光学系のオプションがその外周縁部が前記内周溝内に弾性嵌合されて前記内筒部材に取付可能に構成されていることを特徴とする照明器具。
【００１１】
［２］前記オプション取付部において前記内周溝が前後方向に間隔をおいて複数設けられるとともに、前記複数の内周溝にオプションがそれぞれ取付可能に構成されている前項１に記載の照明器具。
【００１２】
［３］前記内筒部材の前端外周縁部にフランジ状のパッキンが外側に突出するようにして一体的に設けられ、
前記パッキンが前記セードの前端開口縁部と前記前面カバーの外周縁部とで挟持されて、前記セードおよび前記前面カバー間の水密が図られるように構成されている前項１または２に記載の照明器具。
【００１３】
［４］前記オプションは、レンズによって構成されている前項１〜３のいずれか１項に記載の照明器具。
【発明の効果】
【００１４】
発明［１］の照明器具によれば、バッフル機能部およびオプション取付部が設けられた内筒部材をセードに出入自在に取り付けるものであるため、内筒部材のオプション取付部に対し必要に応じてオプションを取り付けたり取り外したりすることができ、オプションの着脱を簡単かつ確実に行うことができる。さらに内筒部材をセード内に収容するようにしているため、内筒部材のバッフル機能部を広範囲に設けることができ、十分なバッフル機能を得ることができる。またオプション取付部は内筒部材に一体的に設けられているため、オプション取付専用の手段を別途採用する必要がなくその分、部品点数等を削減できて構造の簡素化を図ることができる。
【００１５】
発明［２］の照明器具によれば、内筒部材にオプション取付用の内周溝を複数形成しているため、各内周溝に種類の異なるオプションをそれぞれ取り付けることができ、オプション取付による優れた配光効果を相乗的に得ることができる。
【００１６】
発明［３］の照明器具によれば、内筒部材にパッキンを一体的に設けてそのパッキンにより前面カバーおよびセード前端間の水密を図るようにしているため、前面カバーおよびセード前端間の水密を図るためのパッキン等を別途個別に組み付ける必要がなく、部品点数をさらに削減できて構造の簡素化をより確実に図ることができる。
【００１７】
発明［４］の照明器具によれば、オプションとしてレンズを確実に取り付けることができる。
【図面の簡単な説明】
【００１８】
【図１】図１はこの発明の実施形態である照明器具を示す斜視図である。
【図２】図２は実施形態の照明器具を示す正面図である。
【図３】図３は図２のＡ−Ａ線断面図である。
【図４】図４は図２のＢ−Ｂ線断面図である。
【図５】図５は実施形態の照明器具を分解して示す断面図である。
【図６】図６は実施形態の照明器具の要部を分解して示す断面図である。
【発明を実施するための形態】
【００１９】
図１はこの発明の実施形態である照明器具を示す斜視図、図２は正面図、図３は図２のＡ−Ａ線断面図、図４は図２のＢ−Ｂ線断面図、図５は分解断面図、図６は要部分解斜視図である。
【００２０】
これらの図に示すように本実施形態の照明器具は、防水性を有する屋外用のスポットライトを構成するものである。なお本実施形態においては、発明の理解を容易にするため、照明光を照射する方向（図３および図４の左側方向）を「前方」とし、その反対方向（図３および図４の右側方向）を「後方」として説明する。
【００２１】
図１〜図６に示すように本実施形態の照明器具は、セード１と、光源ユニット５と、内筒部材６と、前面カバー７と、電極ユニット８とを基本的な構成要素として備えている。
【００２２】
セード１は、シリンダー等とも称されており円筒形状に形成されている。本実施形態においてセード１は、その前半部を構成する前側外筒体２と、後半部を構成する後側外筒体３とによって構成されている。前側外筒体２および後側外筒体３は共に、ダイキャストによるアルミニウム合金製の一体成形品によって構成されている。
【００２３】
前側外筒体２は、前後両端が開放された円筒状に形成されており、本実施形態においては、前側外筒体２の前端開放部（前端開口）が、セード１の前端開口として構成されるものである。
【００２４】
図３および図５に示すように前側外筒体２の内周面には、軸心方向（前後方向）のほぼ中間部に、周方向に等間隔おきに複数のねじ留め部２１が内側（内径方向）に突出するように一体に形成されている。さらにねじ留め部２１の内周面における前端部には、全周にわたって周方向に連続する内向きフランジ２２が一体に形成されている。
【００２５】
また図４に示すように前側外筒体２の内周面における後端には、周方向に等間隔おきに複数のねじ留め部２３が内側に突出するように一体に形成されている。
【００２６】
この前側外筒体２の内部においてねじ留め部２１よりも後方側が、光源ユニット５を取り付けるための光源ユニット取付部２５として構成されている。
【００２７】
さらに図３および図５に示すように前側外筒体２の内周面における前端から内向きフランジ２２までの領域には、周方向に等間隔おきに複数のねじ留め部２４が内側に突出するように一体に形成されている。
【００２８】
後側外筒体３は、前端が開放され、かつ後端が閉塞された後端閉塞円筒形状に形成されている。図５に示すようにこの後側外筒体３の内周面には、上記前側外筒体２の複数のねじ留め部２３にそれぞれ対応して複数のねじ留め部３３が内側に突出し、かつ軸心方向（前後方向）に連続して延びるように一体に形成されている。
【００２９】
また後側外筒体３の外周面には、外径方向に突出するように支持アーム３１が一体に形成されている。
【００３０】
光源ユニット取付部２５に取り付けられる光源ユニット５は、ＬＥＤユニットによって構成されている。光源ユニット５は、ホルダー５０と、ＬＥＤ（Ｌｉｇｈｔ  Ｅｍｉｔｔｉｎｇ  Ｄｉｏｄｅ）等の半導体発光素子によって構成される光源５５と、レンズ５６とを備えている。
【００３１】
ホルダー５０は、前側外筒体２および後側外筒体と同様、ダイキャストによるアルミニウム合金の一体成形品によって構成されており、前端が開口され、かつ後端が閉塞された後端閉塞円筒形状（カップ状）に形成されている。このホルダー５０の前端開口縁部には、上記前側外筒体２のねじ留め部２１に対応してフランジ５１が外側に突出するように一体形成されている。さらにホルダー５０内における底面には光源５５が取り付けられている。
【００３２】
レンズ５６は、その前端外周縁部に上記前側外筒体２の内向きフランジ２２に対応してフランジ５７が外側（外径方向）に突出するように形成されている。さらにフランジ５７には、その全周にわたって断面コ字状のパッキン（ガスケット）５８が装着されている。
【００３３】
そしてこのレンズ５６および光源付きのホルダー５０がねじ留めによって前側外筒体２に固定される。すなわち図３および図５に示すようにレンズ５６のフランジ５７を前側外筒体２の内部における内向きフランジ２２の後面に接触させ、さらにホルダー５０のフランジ５１を前側外筒体２のねじ留め部２１およびレンズ５６のフランジ５７の後面に接触させた状態で、ねじ５９をホルダー５０のフランジ５１に貫通して前側外筒体２のねじ留め部２１にねじ込んで固定する。これによりホルダー５０を介して光源５５が前側外筒体２の軸心上に配置されるとともに、レンズ５６の外周縁部が両フランジ２２，５１に挟持されて、レンズ５６が前側外筒体２の軸心上における光源５５の前方に配置される。
【００３４】
こうして光源ユニット５が取り付けられた前側外筒体２に後側外筒体３が取り付けられてセード１が形成される。すなわち図４に示すように前側外筒体２の後端のねじ留め部２３に、上記後側外筒体３のねじ留め部３３を対応させつつ、前側外筒体２の後端開口縁部に後側外筒体３の前端開口縁部をパッキン（ガスケット）３５を介して接触させた状態で、ねじ３６を前側外筒体２のねじ留め部２３に貫通して後側外筒体３のねじ留め部３３にねじ込んで固定する。これにより前後両外筒体２，３が互いの軸心が一致した状態に連結されてセード１が組み付けられる。
【００３５】
この組付状態では、前後両外筒体２，３間に介在されるパッキン３５によって、前後両外筒体２，３間の水密が図られている。
【００３６】
なお本実施形態においては、セード１の内部における光源ユニット５よりも前側の空間部が光路として構成されている。また後側外筒体３内には電極ユニット８が収容されている。
【００３７】
一方、セード１の前側外筒体２内には内筒部材６が配置される。内筒部材６は、両端が開放された円筒形状に形成されている。さらにこの内筒部材６の前端外周縁部には外側に突出するようにフランジ状のパッキン（ガスケット）６５が一体に形成されている。
【００３８】
なお本実施形態においては、パッキン付きの内筒部材６は弾力性ないし柔軟性を有する黒色の合成ゴムの一体成形品によって構成されている。
【００３９】
内筒部材６の前側部から中間部にかけての部分はバッフル機能部６１として構成されるとともに、後側部はオプション取付部６３として構成されている。
【００４０】
バッフル機能部６１の内周面には、ブレア低減用のバッフル６２が形成されている。本実施形態においてバッフル６２は、周方向に連続する凸条部および凹条部が軸心方向に沿って交互に細かいピッチで形成されたものによって構成されている。なお本発明においては、バッフル６３の構成は特に限定されるものではなく、ブレアを低減できる構成（形状）であればどのような構成でも採用することができる。
【００４１】
内筒部材６におけるオプション取付部６３の内周面には、周方向に連続し、かつ全周にわたって形成される内周溝６４が軸心方向に間隔をおいて２本形成されている。
【００４２】
本実施形態において内筒部材６の外径寸法は、セード１の前端開口の内径寸法よりも小さく形成されるとともに、内筒部材６に一体成形されるパッキン６５の外径寸法は、セード１の前端開口の内径寸法よりも大きく形成されている。従って内筒部材６は、セード１の内部に対し前端開口を介して出入自在に構成されるとともに、内筒部材６をセード１内に挿入した際には、パッキン６５がセード１の前端面（前端開口周縁部）に当接して係止するように構成されている。
【００４３】
また本実施形態において内筒部材６の各内周溝６４，６４には、スプレッドレンズ、ディフュージョンレンズ等のレンズ４、カラーフィルター等のフィルター、ハニカムルーバー等のルーバー等の光学系のオプションを必要に応じてそれぞれ取り付けることができるように構成されている。例えばレンズ４等のオプションを内筒部材６に取り付ける場合には、内筒部材６のオプション取付部６３を拡径するように弾性変形させた状態で、オプション取付部６３の内部にオプションとしてのレンズ（オプションレンズ）４を収容し、そのオプションレンズ４の外周縁部をオプション取付部６３の内周溝６４内に嵌め込む。その後、内筒部材６に対する弾性変形を解除することにより、オプションレンズ４の外周縁部が内周溝６４内に弾性力によって保持されて、オプションレンズ４が内筒部材６内の所定位置に取り付けられる。また内筒部材６内に取り付けられたオプションレンズ４を取り外す場合には、内筒部材６のオプション取付部６３を拡径するように弾性変形させて、オプションレンズ４の外周縁部を内周溝６４から抜き出しながら、そのオプションレンズ４をオプション取付部６３から外部に取り出すようにすれば良い。このように内筒部材６に対しオプションレンズ４等のオプションを簡単かつ確実に着脱することができる。
【００４４】
なお言うまでもなく、レンズ以外のオプションにおいても、上記オプションレンズ４と同様に内筒部材６に対し着脱することができる。
【００４５】
一方、セード１における円形の前端開口に取り付けられる前面カバー７は、円環状の枠体７１を備えている。枠体７１の枠内には、透明ガラス板等によって構成される透明保護板７２がシリコン系接着剤等を介して水密状態に取り付けられている。本実施形態においては、この透明保護板７２が透光部として構成されるとともに、枠体７１が前面カバー７の外周縁部として構成されるものである。
【００４６】
また枠体７１の外周端縁にはその全周において外周壁７５が後方に突出するように一体に形成されている。外周壁７５はその内径がセード１の前端部の外径よりも少しだけ大きく形成されており、セード１の前端部に適合状態に外嵌できるように構成されている。
【００４７】
本実施形態において、枠体７１および外周壁７５は、ダイキャストによるアルミニウム合金製の一体成形品によって構成されている。
【００４８】
この前面カバー７が上記内筒部材６を介してセード１に取り付けられる。すなわち内筒部材６をセード１内にその前端開口から収容してセード１内の前側に配置して、内筒部材６の後端縁を前側外筒体２における内向きフランジ２２内に嵌め込むとともに、内筒部材６のパッキン６５をセード１の前端面（前端開口縁部）に係止するように配置しておく。さらに前面カバー７をその外周壁７５をセード１の前端部外側に嵌め込むとともに、枠体７１を内筒部材６のパッキン６５に沿わせるように配置する。その状態でねじ７６を前面カバー７の枠体７１および内筒部材６のパッキン６５に貫通してセード１の上記ねじ留め部２４にねじ込んで固定する。これにより前面カバー７がセード１にパッキン６５を介して圧接した状態に固定されるとともに、パッキン６５が前面カバー７およびセード１の前端面によって挟持されることにより、内筒部材６がセード１内で位置固定される。この取付状態においては、前面カバー７およびセード１間に介在されるパッキン６５によって、前面カバー７およびセード１間の水密が図られている。
【００４９】
以上のように構成された本実施形態の照明器具においては、図１および図２に示すようにセード１の後側外筒体３に設けられた支持アーム３１が、ベース１０を介して設置面に取り付けられる。すなわち設置面に取り付けられるベース１０には、ベース１０の軸心回り（設置面に対し垂直な軸回り）に回転自在に支持アーム取付片１１が設けられており、この支持アーム取付片１１にセード１の支持アーム３１が支持アーム３１に対し直交する軸回り（設置面と平行な軸回り）に回転自在に取り付けられる。こうして照明器具が、設置面例えば、天井面等の下向き水平面、壁面等の垂直面、路面、床面、台面等の上向き水平面、さらに傾斜面、支柱等に適宜取り付けられる。
【００５０】
本実施形態の照明器具において、レンズ４等のオプションを取り付ける場合には、照明器具前端面のねじ７６を取り外して前面カバー７をセード１から取り外した後、内筒部材６をセード１内からその前端開口を介して外部に取り出す。こうして内筒部材６を外部に取り出した状態で、既述した通り内筒部材６を弾性変形させながらオプションレンズ４を内周溝６４内に嵌め込んで取り付ける。その後、オプションレンズ付きの内筒部材６をセード１内にその前端開口から挿入して配置した後、既述した通り前面カバー７をねじ留めして、内筒部材６をパッキン６５を介してセード１内に固定する。これによりオプションレンズ４をセード１内の光路（軸心）上に配置することができる。
【００５１】
従ってこの状態の照明器具において光源５５から出射した照明光は、光源ユニット５のレンズ５６を通過した後、オプションレンズ４を通過して前面カバー７の透明保護板７２を通過して前方に照射される。このように照明光がオプションレンズ４を通過して前方に照射されるため、オプションレンズ４による所望の配光効果を確実に得ることができる。
【００５２】
なおオプションレンズ４を取り外す場合には、前面カバー７をセード１から取り外して内筒部材６を取り出した後、既述した通りオプションレンズ４を取り外せば良い。
【００５３】
以上のように構成された本実施形態の照明器具においては、セード１に対し出入自在に内筒部材６を設けるとともに、その内筒部材６にバッフル機能部６１を形成しているため、セード１内にバッフル機能部６１を広範囲に形成することができ、ブレア抑制効果等のバッフル機能を十分に確保することができる。
【００５４】
さらに内筒部材６にオプション取付部６３を一体に形成し、そのオプション取付部６３に必要に応じてレンズ４等のオプションを取り付けるようにしているため、オプション取付用の手段を別途設ける必要がなくその分、部品点数等を削減できて構造の簡素化を図ることができるとともに、組付部品数も削減できて組付作業性を向上させることができる。
【００５５】
また本実施形態の照明器具においては、内筒部材６の前端外周にパッキン６５を一体に形成し、そのパッキン６５を前面カバー７およびセード前端間に介在してその間の水密を図るようにしているため、前面カバー７およびセード前端間の水密を図るためのパッキン等を別途組み付ける必要がなくこの点においても、部品点数を削減できて構造の簡素化をより確実に図ることができるとともに、組付部品数も削減できて組付作業性をより一層向上させることができる。
【００５６】
また本実施形態においては、パッキン付きの内筒部材６を合成ゴムの一体成形品によって構成しているため、パッキン付きの内筒部材６を効率良く製造できて、コストを削減することができる。
【００５７】
また本実施形態の照明装置においては既述した通り、レンズ４等のオプションを簡単に取り出すことができるため、オプションの清掃作業や保守点検作業を不具合なく確実に行うことができ、ひいては照明装置自体の耐久性を向上させることができる。
【００５８】
また本実施形態の照明器具においては、内筒部材６にオプション取付用の内周溝６４を２本形成しているため、各内周溝６４，６４にオプションをそれぞれ取り付けることができる。このため種類が異なる２つのオプションを同時に取り付けることができ、オプション取付による優れた配光効果を相乗的に得ることができる。
【００５９】
なお上記実施形態においては、セード１として円筒状のものを採用しているが、本発明においてセードの形状は特に限定されるものではない。例えばセードとして、角筒状や楕円筒状のものを採用しても良い。
【００６０】
さらに上記実施形態においては、前端から後端にかけて外径が一定のセード１を用いる場合を例に挙げて説明しているが、本発明においてはセードの外径を部分的変更するようにしても良い。例えばセードにおける前部外径が後部の外径よりも次第に大きくなるようにラッパ状や円錐台状に形成するようにしても良い。
【００６１】
また上記実施形態においては、内筒部材６として円筒状のものを採用しているが、本発明において内筒部材６の形状は上記のものに限定されるものではなく、例えばセードの形状に合わせて、角筒状や楕円筒状に形成したり、前側部をラッパ状やテーパ状（円錐台状）に形成するようにしても良い。
【００６２】
また本発明の照明器具は、屋外だけに限られずに、屋内に取り付けるようにしても良い。
【００６３】
また上記実施形態においては、内筒部材６にオプション取付用の内周溝６４を２本形成する場合を例に挙げて説明したが、内筒部材の内周溝の形成本数は限定されるものではなく、本発明においては内筒部材に内周溝を１本または３本以上形成するようにしても良い。
【産業上の利用可能性】
【００６４】
この発明の照明器具は、屋外に設置可能な防水性を有するスポットライト等として好適に用いることができる。
【符号の説明】
【００６５】
１：セード
４：レンズ（オプション）
５５：光源（ＬＥＤ）
６：内筒部材
６１：バッフル機能部
６２：バッフル
６３：オプション取付部
６４：内周溝
６５：パッキン（ガスケット）
７：前面カバー
７２：透明保護板（透光部）
【図１】
2018166026.tif 000003
【図２】
2018166026.tif 000004
【図３】
2018166026.tif 000005
【図４】
2018166026.tif 000006
【図５】
2018166026.tif 000007
【図６】
2018166026.tif 000008